(57)【要約】      （修正有）【課題】伸縮ロッドの上下芯管接続部のパッキンが高シール性性能を維持可能な地盤改良装置の提供。【解決手段】入れ子状に構成された上側ロッド１１と下側ロッド１２とを具備した伸縮ロッド下端部から地盤改良材を注入・混合して地盤を改良する。伸縮ロッドは、上側ロッド１１を下側ロッド１２から上方に引き上げることにより伸びるとともに、引き上げられている上側ロッド１１を下側ロッド１２側に押し込むことにより縮むように構成されている。上側ロッド１１は、地盤改良材が流れる上側ロッド芯管１６と上側ロッド芯管１６を覆う上側ロッド外管１７とからなり、下側ロッド１２は、地盤改良材が流れる下側ロッド芯管３１と下側ロッド芯管３１を覆う下側ロッド外管３２とからなる。そのうえで、上側ロッド芯管１６の下端部の外面に、下側ロッド芯管３１の内面と摺動するパッキン２６を設ける構成とした。【選択図】図３
2015045210.tif 000002
【特許請求の範囲】
【請求項１】
地盤改良材が伸縮ロッド内の上方から下方に流れ、伸縮ロッドの下端部から地盤に注入混合することにより地盤を改良する地盤改良装置において、
前記伸縮ロッドは、入れ子状に構成された上側ロッドと下側ロッドとを具備し、上側ロッドを下側ロッドから上方に引き上げることにより伸びるとともに、引き上げられている上側ロッドを下側ロッド側に押し込むことにより縮むように構成されており、
前記上側ロッドは、地盤改良材が流れる上側ロッド芯管と、この上側ロッド芯管を覆う上側ロッド外管とを具備しており、
前記下側ロッドは、地盤改良材が流れる下側ロッド芯管と、この下側ロッド芯管を覆う下側ロッド外管とを具備しており、
前記上側ロッド芯管の外径は、下側ロッド芯管の内径よりも小さくなっており、
この上側ロッド芯管の下端部の外面に、下側ロッド芯管の内面と摺動するパッキンが設けられていることを特徴としている地盤改良装置。
【請求項２】
前記パッキンは、リング状の本体部と、本体部の下端周縁部から外側に延在して先端部が下側ロッド芯管の内面と摺動する下側ヒレ部とを具備していることを特徴としている請求項１記載の地盤改良装置。
【請求項３】
前記パッキンが、前記本体部の上端周縁部から外側に延在して先端部が下側ロッド芯管の内面と摺動する上側ヒレ部を具備していることを特徴としている請求項１または２記載の地盤改良装置。
【請求項４】
前記上側ロッド外管の下端部には外側面にスプラインが形成され、
前記下側ロッド外管の内側面には、上部に上側スプラインが、また、下部には下側スプラインが形成され、
伸縮ロッドが伸びた状態では、上側ロッド外管のスプラインが下側ロッド外管の上側スプラインに係合し、伸縮ロッドが縮んだ状態では、上側ロッド外管のスプラインが下側ロッド外管の下側スプラインに係合することを特徴としている請求項１，２または３記載の地盤改良装置。
【請求項５】
前記下側ロッド外管の下端部には、下側ロッド芯管を受ける芯管受部が設けられ、下側ロッド芯管が装着された状態では、前記下側ロッド芯管の下端が前記芯管受部に嵌まり込んで支持されていることを特徴としている請求項１ないし４の何れか１項記載の地盤改良装置。
【発明の詳細な説明】
【技術分野】
【０００１】
本発明は、地盤に地盤改良材を注入混合して改良する地盤改良装置に関する。
【背景技術】
【０００２】
従来の地盤改良装置は、一体的なロッドを用いて行われており、リーダー長の制限で一度に施工できる深度が浅くなっている。そのため、深く施工する際には、ロッドをその都度継ぎ足して行っている。この現場でのロッドの継ぎ足し作業は、労力、時間や費用がかかる。そこで、たとえば、特公昭６１−１３０４９号公報（特許文献１）に記載のように、テレスコープ型伸縮ロッドを用いたものが提案されている。しかしながら、上下の芯管同士の接続部のシール性が悪く、芯管内を流れる地盤改良材が、接続部に残留したり、また接続部から芯管の外側に漏れ出して、こびりついて汚損するため、装置の作動に支障をきたしたり、メンテナンス作業が困難となったりする。
【先行技術文献】
【特許文献】
【０００３】
【特許文献１】特公昭６１−１３０４９号公報
【発明の開示】
【発明が解決しようとする課題】
【０００４】
解決しようとする問題点は、上下の芯管同士の接続部のシール性が悪く、芯管内を流れる地盤改良材が、接続部に残留したり、また接続部から芯管の外側に漏れ出して、こびりついて汚損する点である。
【課題を解決するための手段】
【０００５】
本発明の地盤改良装置は、地盤改良材が伸縮ロッド（６）内の上方から下方に流れ、伸縮ロッドの下端部から地盤に注入混合することにより地盤を改良する。そして、前記伸縮ロッドは、入れ子状に構成された上側ロッド（１１）と下側ロッド（１２）とを具備し、上側ロッドを下側ロッドから上方に引き上げることにより伸びるとともに、引き上げられている上側ロッドを下側ロッド側に押し込むことにより縮むように構成されており、上側ロッドは、地盤改良材が流れる上側ロッド芯管（１６）と、この上側ロッド芯管を覆う上側ロッド外管（１７）とを具備しており、下側ロッドは、地盤改良材が流れる下側ロッド芯管（３１）と、この下側ロッド芯管を覆う下側ロッド外管（３２，７６）とを具備しており、上側ロッド芯管の外径は、下側ロッド芯管の内径よりも小さくなっており、この上側ロッド芯管の下端部の外面に、下側ロッド芯管の内面と摺動するパッキン（２６）が設けられている。
【０００６】
また、前記パッキンは、リング状の本体部（２６ａ）と、本体部の下端周縁部から外側に延在して先端部が下側ロッド芯管の内面と摺動する下側ヒレ部（２６ｂ）とを具備している場合がある。
そして、前記パッキンが、その本体部の上端周縁部から外側に延在して先端部が下側ロッド芯管の内面と摺動する上側ヒレ部（２６ｃ）を具備している場合がある。
【０００７】
さらに、上側ロッド外管の下端部には外側面にスプライン（８６）が形成され、下側ロッド外管の内側面には、上部に上側スプライン（８８）が、また、下部には下側スプライン（８９）が形成され、伸縮ロッドが伸びた状態では、上側ロッド外管のスプラインが下側ロッド外管の上側スプラインに係合し、伸縮ロッドが縮んだ状態では、上側ロッド外管のスプラインが下側ロッド外管の下側スプラインに係合する場合がある。
【０００８】
また、下側ロッド外管の下端部には、下側ロッド芯管を受ける芯管受部（３７）が設けられ、下側ロッド芯管が装着された状態では、下側ロッド芯管の下端が芯管受部に嵌まり込んで支持されている場合がある。
【発明の効果】
【０００９】
本発明によれば、伸縮ロッドの上側ロッド芯管の下端部の外面に、下側ロッド芯管の内面と摺動するパッキンが設けられており、芯管内を上方から下方に流れる地盤改良材の流れが、パッキンに直接当たるおそれは少なく、パッキンと芯管の内面との間に地盤改良材が食い込むことが減少する。また、パッキンに付着した地盤改良材も自然落下し、パッキンを汚損することが減少する。しかも、伸縮ロッドは二重配管構造であるため、芯管は外管で保護されており、改良される地盤からの土砂がかかることを抑制することができる。その結果、パッキンが土砂や地盤改良材で汚損されることが減少し、パッキンのシール性を長期に維持することができ、装置の作動が円滑になるとともに、メンテナンス作業が簡単になる。
【００１０】
また、前記パッキンが、本体部の下端周縁部から外側に延在して先端部が下側ロッド芯管の内面と摺動する下側ヒレ部を具備している場合には、伸縮ロッドが縮む際に、この下側ヒレ部が、下側ロッド芯管の内面に付着している地盤改良材をこそげ落とす。したがって、下側ロッド芯管の内面が清掃されるとともに、スケールのこびりつきによるシール性の低下を抑制することができる。その結果、装置の作動が円滑になるとともに、メンテナンス作業が簡単になる。
【００１１】
さらに、前記パッキンが、その本体部の上端周縁部から外側に延在して先端部が下側ロッド芯管の内面と摺動する上側ヒレ部を具備している場合には、伸縮ロッドが伸びる際に、この上側ヒレ部が、下側ロッド芯管の内面に付着しているスケールなどをこそげ落とす。したがって、下側ロッド芯管の内面が清掃されるとともに、スケールのこびりつきによるシール性の低下を抑制することができる。その結果、装置の作動が円滑になるとともに、メンテナンス作業が簡単になる。
【００１２】
そして、上側ロッド外管の下端部には外側面にスプラインが形成され、下側ロッド外管の内側面には、上部に上側スプラインが、また、下部には下側スプラインが形成され、伸縮ロッドが伸びた状態では、上側ロッド外管のスプラインが下側ロッド外管の上側スプラインに係合し、伸縮ロッドが縮んだ状態では、上側ロッド外管のスプラインが下側ロッド外管の下側スプラインに係合する場合がある。このような場合には、伸縮ロッドの回転時には、上側ロッド外管のスプラインが、下側ロッド外管の上側スプラインまたは下側スプラインに係合しているので、上側ロッド外管と下側ロッド外管とが堅固に連結され、ガタつくことを防止することができる。その結果、下側ロッド芯管の横振れなどが減少し、パッキンが押しつぶされることを極力防止することができる。
【００１３】
また、下側ロッド外管の下端部には、下側ロッド芯管を受ける芯管受部が設けられ、下側ロッド芯管が装着された状態では、下側ロッド芯管の下端が芯管受部に嵌まり込んで支持されている場合がある。このような場合には、下側ロッド芯管を簡単に取り外して、下側ロッド芯管の洗浄や交換などを行うことができる。そして、この洗浄や交換により、下側ロッド芯管内面に付着するスケールなどを減少させることができる。その結果、パッキンのシール性を長期に維持することができ、装置の作動が円滑になるとともに、メンテナンス作業が簡単になる。
【図面の簡単な説明】
【００１４】
【図１】図１は本発明における地盤改良装置の実施の一形態の正面図である。
【図２】図２は上側ロッドの上部の一部切欠き断面図である。
【図３】図３は上下のロッドの接続部の一部切欠き断面図である。
【図４】図４は下側ロッドの下部の一部切欠き断面図である。
【図５】図５は図２の V-Vの断面図である。
【図６】図６は図３の VI-VIの断面図である。
【図７】図７は安定部材の平面図である。
【図８】図８は上下のロッドの接続部における土壌改良材の流れの説明図である。
【図９】図９は変形例の下側ロッド芯管と芯管受部の回り止め用の係止構造の説明図である。
【図１０】図１０は実施例１の図２に対応する実施例２の一部切欠き断面図である。
【図１１】図１１は実施例１の図３に対応する実施例２の一部切欠き断面図である。
【図１２】図１２は実施例１の図４に対応する実施例２の一部切欠き断面図である。
【発明を実施するための形態】
【００１５】
上下の芯管同士の接続部のシール性を改善するという目的を、伸縮ロッドが伸びた状態でも二重管構造とするとともに、上側ロッド芯管の下端部の外面に、下側ロッド芯管の内面と摺動するパッキンを設けることで実現した。
【実施例１】
【００１６】
次に、本発明における地盤改良装置の一実施例としての実施例１について、図１ないし図９を用いて説明する。図１は本発明における地盤改良装置の実施の一形態の正面図である。図２は上側ロッドの上部の一部切欠き断面図である。図３は上下のロッドの接続部の一部切欠き断面図である。図４は下側ロッドの下部の一部切欠き断面図である。図５は図２の V-Vの断面図である。図６は図３の VI-VIの断面図である。図７は安定部材の平面図である。図８は上下のロッドの接続部における土壌改良材の流れの説明図である。図９は変形例の下側ロッド芯管と芯管受部の回り止め用の係止構造の説明図である。
【００１７】
なお、図においては、伸縮ロッドは伸びた状態で図示されている。図２ないし図４では、図１の伸縮ロッドの上部、中央部、下部の要部拡大図で、左半分が断面で図示されている。また、図３において、安定部材は断面形状が分かり易いように図７の III-III断面で図示されている。図４において、伸縮ロッドが縮んだ状態での上側ロッド外管の下端部が、二点鎖線で図示されている。図５においては、安定部材の輪郭が二点鎖線で図示されている。
【００１８】
まず始めに、地盤改良装置の全体構成を説明する。
地盤改良装置は、走行車体１と、この走行車体１に立設しているリーダ２と、このリーダ２に上下動可能に取り付けられているパワースイベル３と、このパワースイベル３の原動機により回転駆動される掘削軸としての伸縮ロッド６と、この伸縮ロッド６の下端部に取り付けられている掘削翼７とを備えている。
【００１９】
前記伸縮ロッド６は、入れ子状に構成された上側ロッド１１と下側ロッド１２とを具備し、上側ロッド１１を下側ロッド１２から上方に引き上げることにより伸びるとともに、引き上げられている上側ロッド１１を下側ロッド１２側に押し込むことにより縮むように構成されている。
【００２０】
上側ロッド１１は、液状のモルタルなどの地盤改良材が流れる上側ロッド芯管１６と、この上側ロッド芯管１６を覆う上側ロッド外管１７との二重管構造をしているとともに、上端部にはパワースイベル３に着脱可能にピン止めされるジョイント部１８（図２参照）が設けられている。ジョイント部１８には貫通孔１９が形成され、この貫通孔１９の上方から流れ込んだ地盤改良材が上側ロッド芯管１６を通って下方に流れる。上側ロッド芯管１６および上側ロッド外管１７の上端はジョイント部１８にボルト２１などにより着脱可能に取り付けられている。上側ロッド外管１７には、上端部に上側ピン受け部２３（図２参照）が、また、下端部に下側ピン受け部２４（図３参照）が形成されている。そして、上側ロッド芯管１６の下端部の外周面には、詳細は後述するリング状のパッキン２６を支持するパッキン受部２７が設けられている。
【００２１】
下側ロッド１２は、上側ロッド芯管１６からの地盤改良材が下方に流れる下側ロッド芯管３１と、この下側ロッド芯管３１を覆う下側ロッド外管３２との二重管構造をしているとともに、下側ロッド外管３２の下端部には掘削翼７を着脱可能にピン止めするジョイント部３３（図４参照）が設けられている。ジョイント部３３には貫通孔３４が形成され、下側ロッド芯管３１からの地盤改良材がこの貫通孔３４から掘削翼７のヘッド部の貫通孔（図示せず）を通って地盤に注入される。ジョイント部３３の上面には、下側ロッド芯管３１の下端が嵌まり込む芯管受部３７が形成され、下側ロッド芯管３１はこの芯管受部３７に嵌まることにより支持されている。また、下側ロッド外管３２の上端部には、上側ロッド外管１７とピン止めするためのピン受け部３８（図３参照）が形成されている。
【００２２】
そして、下側ロッド芯管３１の上端部には、安定部材４１（図３および図７参照）がボルト４２で着脱可能に取り付けられている。安定部材４１は、その周縁部が上側ロッド外管１７の内面を摺動（接触）可能に構成され、下側ロッド芯管３１の上端の横振れ（水平方向に振れること）を防止しているとともに、図５に図示するように、上側ロッド外管１７の上側ピン受け部２３が形成されている部分の開口４３を通って上下方向に移動可能な形状をしている。すなわち、安定部材４１のリング形状の本体４１ａ（図７参照）は、下側ロッド芯管３１の上面と略同じ形状しており、この本体４１ａから扇形状の張出部４１ｂが一対張り出している。そして、図３に図示するように、この張出部４１ｂの先端周縁部が上側ロッド外管１７の内面に接触する。
【００２３】
パッキン２６は、リング状の本体部２６ａと、この本体部２６ａの下端周縁部の全周から外側下方に延在して先端部が下側ロッド芯管３１の内面と摺動する下側ヒレ部２６ｂと、本体部２６ａの上端周縁部の全周から外側上方に延在して先端部が下側ロッド芯管３１の内面と摺動する上側ヒレ部２６ｃとを具備している。そして、下側ヒレ部２６ｂの断面の中心軸線は本体部２６ａから外側下方に傾斜し、上側ヒレ部２６ｃの断面の中心軸は本体部２６ａから外側上方に傾斜している。
【００２４】
この様に構成されている地盤改良装置で、地盤を改良する際には、従来の地盤改良装置（たとえば、前述の特許文献１など）と同様に、伸縮ロッド６を伸縮して、地盤改良材を、回転している伸縮ロッド６内を通して掘削翼７のヘッド部から地盤に注入混合することにより地盤を改良する。
【００２５】
そして、図３の伸縮ロッド６が伸びている状態では、上側ロッド外管１７の下側ピン受け部２４が、下側ロッド外管３２のピン受け部３８と対峙しており、この下側ピン受け部２４とピン受け部３８との間の空間にピン５１が挿入されて上側ロッド外管１７と下側ロッド外管３２とが固定されている。そして、伸びている伸縮ロッド６を縮める際には、ピン５１を抜いて、上側ロッド１１を下側ロッド１２に向かって下げ、上側ロッド外管１７の上側ピン受け部２３を下側ロッド外管３２のピン受け部３８とを対峙させ、上側ピン受け部２３とピン受け部３８との間の空間にピン５１を挿入して上側ロッド外管１７と下側ロッド外管３２とを固定する。
【００２６】
そして、地盤改良材の流れ５３（図８参照）は、伸縮ロッド６の芯管１６，３１内を上方から下方に向かっている。そのため、地盤改良材の流れ５３が、上側ロッド芯管１６の下端部の外面に設けられたパッキン２６に直接当たるおそれは少なく、パッキン２６と下側ロッド芯管３１の内面との間に地盤改良材が食い込むことが減少する。また、パッキン２６に付着した地盤改良材も自然落下し、パッキン２６を汚損することが減少する。
【００２７】
さらに、芯管１６，３１の内面には地盤改良材が付着するが、伸縮ロッド６が縮む（すなわち、上側ロッド芯管１６が下方に移動する）際に、パッキン２６の下側ヒレ部２６ｂが下側ロッド芯管３１の内面に付着している地盤改良材をこそげ落とすため、下側ロッド芯管３１の内面が清掃され、スケールのこびりつきによるシール性の低下を抑制することができる。
【００２８】
また、伸縮ロッド６は、伸びた状態でも、縮んだ状態でも、芯管１６，３１と外管１７，３２との二重管構造をしており、芯管１６，３１は外管１７，３２で保護されており、土砂がかかることを抑制することができる。それにともなって、パッキン２６が土砂で汚損されることを抑制することができる。
【００２９】
下側ロッド芯管３１は、その下端部が下側ロッド外管３２の下端部の芯管受部３７に嵌まることにより支持されている。そして、下側ロッド芯管３１の上部は上側ロッド芯管１６に嵌まっているが、少し横振れ（水平方向の振れ）し、パッキン２６を押しつぶすおそれがある。そこで、下側ロッド芯管３１の上端部に安定部材４１を取り付けて下側ロッド芯管３１の上部の横振れを防止しパッキン２６が押しつぶされることを阻止している。
【００３０】
そして、メンテナンスのため、下側ロッド芯管３１を取り外すことがある。下側ロッド芯管３１を取り外すには、まず初めに、伸縮ロッド６を縮め、下側ロッド芯管３１の安定部材４１を上側ロッド外管１７の上側ピン受け部２３よりも上方に移動させる。そして、ボルト２１を外してジョイント部１８と上側ロッド外管１７とを分離し、ジョイント部１８を上側ロッド芯管１６とともに上方に移動して取り外す。ついで、ボルト４２を外して安定部材４１を下側ロッド芯管３１から取り外す。その後、下側ロッド芯管３１を引き上げて、下側ロッド外管３２の芯管受部３７から離脱させる。
【００３１】
上側ロッド外管１７における上側ピン受け部２３が形成されている部分は、強度を上げるために厚みが大きくなっているが、中央部の開口４３は、図５に図示するように、安定部材４１が上下に移動可能な形状となっている。そして、下側ロッド芯管３１の下端は、下側ロッド外管３２の芯管受部３７にしっかりと嵌まっており、下側ロッド芯管３１が軸心を中心として芯管受部３７に対して回転することはない。より確実に、回転不能に嵌合させるために、図９に図示する変形例のように、芯管受部３７側に係止部（突出部）６１を設け、この係止部６１に下側ロッド芯管３１の係合部（凹部）６２を係止させることも可能である。
【実施例２】
【００３２】
次に、本発明における地盤改良装置の実施例２について説明する。図１０は実施例１の図２に対応する実施例２の一部切欠き断面図である。図１１は実施例１の図３に対応する実施例２の一部切欠き断面図である。図１２は実施例１の図４に対応する実施例２の一部切欠き断面図である。なお、この実施例２の説明において、前記実施例１の構成要素に対応する構成要素には同一符号を付して、その詳細な説明は省略する。
【００３３】
符号７１の部材はキー、符号７２の部材は上側ロッド外管１７の上端部の外周面に螺合するナットである。また、実施例２では、実施例１の安定部材４１は設けられていない。そして、実施例２の下側ロッド外管７６は、上部ジョイント部７７、中央部７８、下部ジョイント部７９からなり、ボルト８１により分離可能に組み立てられている。上側ロッド外管１７の下端部外周面にはスプライン８６が形成されている。また、上部ジョイント部７７および下部ジョイント部７９には、このスプライン８６に係合する上側スプライン８８および下側スプライン８９が形成されている。そして、上側ロッド外管１７のスプライン８６は、伸縮ロッド６が伸びている状態では上側スプライン８８に係合し、縮んでいる状態では下側スプライン８９に係合する。上側ロッド芯管１６の下端部は、下部ジョイント部７９の芯管受部３７に嵌まり込むとともに、ボルト９１で下部ジョイント部７９に着脱可能に固定されている。
【００３４】
この様に地盤改良装置の実施例２は構成されているので、ボルト８１を外して、下側ロッド外管７６の下部ジョイント部７９を中央部７８から分離することにより、下側ロッド芯管３１を取り外すことができる。
【００３５】
また、伸縮ロッド６の回転時には、上側ロッド外管１７のスプライン８６が、下側ロッド外管７６の上側スプライン８８または下側スプライン８９に係合しているので、上側ロッド外管１７と下側ロッド外管７６とが堅固に連結され、ガタつくことを防止することができる。その結果、下側ロッド芯管３１の横振れなどが減少し、パッキン２６が押しつぶされることを極力防止することができる。
【００３６】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）図９に図示する変形例のように、芯管受部に嵌まり込んでいる下側ロッド芯管が、芯管受部に対して軸心を中心として回転しないように係止部を設けることも可能であるが、設けないことも可能である。また、回り止めの構造は適宜変更可能である。
【００３７】
（２）パッキン、係止部や他の部材の形状、構造や配置などは、特許請求の範囲に記載されていない限り、適宜変更可能である。
（３）安定部材や他の部材なども、特許請求の範囲に記載されていない限り、設けないことも可能である。
（４）実施例１にも、実施例２のスプライン８６，８８，８９を設けることが可能である。
【００３８】
（５）実施例においては、上側ロッド外管の径は下側ロッド外管の径よりも小さいが、上側ロッド外管の径を下側ロッド外管の径よりも大きくすることも可能である。ただし、上側ロッド外管の径は下側ロッド外管の径よりも小さいことが好ましい。すなわち、上側ロッド外管の下端は、下側ロッド外管の上端よりも下方に位置しているため、地盤改良する地面よりも下方に位置する頻度が高くなり、上側ロッド外管が外側であると、伸縮ロッド外側の土砂が外管内面に侵入しやすくなる。
【産業上の利用可能性】
【００３９】
伸縮ロッドにおける上下芯管の接続部のパッキンが、地盤改良材などで汚損されることが減少して、長期にわたってそのシール性を維持することができるので、伸縮ロッドの下端部から土壌改良材を地盤に注入混合することにより地盤を改良する地盤改良装置に適用することが最適である。
【符号の説明】
【００４０】
６  伸縮ロッド
１１  上側ロッド
１２  下側ロッド
１６  上側ロッド芯管
１７  上側ロッド外管
２６  パッキン
２６ａ  パッキンの本体部
２６ｂ  下側ヒレ部
２６ｃ  上側ヒレ部
３１  下側ロッド芯管
３２  下側ロッド外管
３７  芯管受部
４１  安定部材
６１  係止部
７６  下側ロッド外管
８６  スプライン
８８  スプライン
８９  スプライン
【図１】
2015045210.tif 000003
【図２】
2015045210.tif 000004
【図３】
2015045210.tif 000005
【図４】
2015045210.tif 000006
【図５】
2015045210.tif 000007
【図６】
2015045210.tif 000008
【図７】
2015045210.tif 000009
【図８】
2015045210.tif 000010
【図９】
2015045210.tif 000011
【図１０】
2015045210.tif 000012
【図１１】
2015045210.tif 000013
【図１２】
2015045210.tif 000014